(57)【特許請求の範囲】
【請求項１】
左右側端部に外開きコ字形のフレームが取り付けられた隣接する外壁パネル間の目地に挿入されるシーリング材を後方で支持するシーリングバックアップ材であって、
上記目地とその後方の軸組との間の隙間の厚み方向を充填するように該隙間に挿入され、合成樹脂からなり中央の略半円部の両側にこの略半円部の湾曲方向とは逆向きに順次屈曲する２つの屈曲部が設けられてなり上記隣接する外壁パネルのフレーム間の空間にフレームの内面に当接して配置されたバックアップ補助材によってその後端が支持されるバックアップ後方材と、このバックアップ後方材の前方に一体的に接続され、上記目地内の最奥部に位置して上記シーリング材を後方で支持するバックアップ材本体とからなることを特徴とするシーリングバックアップ材。
【請求項２】
上記バックアップ後方材は伸縮性を有する合成樹脂発泡体からなり、非圧縮状態におけるバックアップ後方材の幅寸法が上記目地の幅寸法より大きいことを特徴とする請求項１記載のシーリングバックアップ材。
【請求項３】
上記バックアップ後方材は、独立気泡の合成樹脂発泡体を圧縮して部分的に連続気泡化した半連続気泡の合成樹脂発泡体からなることを特徴とする請求項２記載のシーリングバックアップ材。
【発明の詳細な説明】
【０００１】
【発明の属する技術分野】
本発明は、住宅の外壁パネルの目地に充填するシーリング材を後方から支持するシーリングバックアップ材に関するものである。
【０００２】
【従来の技術】
従来、図１１に示すように、住宅における隣接する外壁パネル１間の目地２にシーリング材４を挿入する場合、シーリング材４の挿入深さを出来るだけ均一にする目的で、まず、不図示のへら等を用いて、目地２にシーリングバックアップ材３を挿入した後、シーリング材４をシーリングバックアップ材３に当接する深さまで目地２内に挿入するようにしている。
【０００３】
【発明が解決しようとする課題】
ところが、上記の方法では、作業者の熟練度等により、シーリングバックアップ材３の挿入深さが不均一になった場合は、シーリング材４の挿入深さも不均一になる結果、目地２のシーリング機能が低下したり、見栄えが悪くなる等の問題を生じるおそれがあった。特に、シーリングバックアップ材３を目地２内に強く押し込み過ぎた場合、シーリングバックアップ材３が部分的に目地２の裏側の隙間に落ち込み、シーリング材４に対するバックアップ機能を果たせなくなるものであった。
【０００４】
【課題を解決するための手段】
本発明は前記の課題を解決するため、シーリング材の挿入深さを十分に均一化することのできるシーリングバックアップ材を提供することを目的とする。
そのため、本発明の請求項１のシーリングバックアップ材は、左右側端部に外開きコ字形のフレームが取り付けられた隣接する外壁パネル間の目地に挿入されるシーリング材を後方で支持するシーリングバックアップ材であって、上記目地とその後方の軸組との間の隙間の厚み方向を充填するように該隙間に挿入され、合成樹脂からなり中央の略半円部の両側にこの略半円部の湾曲方向とは逆向きに順次屈曲する２つの屈曲部が設けられてなり上記隣接する外壁パネルのフレーム間の空間にフレームの内面に当接して配置されたバックアップ補助材によってその後端が支持されるバックアップ後方材と、このバックアップ後方材の前方に一体的に接続され、上記目地内の最奥部に位置して上記シーリング材を後方で支持するバックアップ材本体とからなることを特徴とするものである。
【０００５】
上記構成では、シーリングバックアップ材を目地内に挿入する際に、上記バックアップ後方材が隣接する外壁パネル間の目地を通過して、該目地とその後方の軸組間の隙間に入り込み、該隙間の厚み方向を充填する（埋め尽くす）位置まで押し込むようにする。この状態では、目地の後方の隙間の厚み方向がバックアップ後方材で塞がれている結果、挿入済みの状態で、バックアップ材本体は、必然的に目地内の最奥部に位置することになる。
【０００６】
なお、バックアップ後方材が隣接する外壁パネル間の目地とその後方の軸組間の隙間の厚み方向を充填するとは、バックアップ後方材のみで当該隙間の厚み方向を充填する場合と、断熱材等の他の部材と共に当該隙間の厚み方向を充填する場合の双方を含む表現である。
【０００７】
請求項２のシーリングバックアップ材は、請求項１の構成において、上記バックアップ後方材は伸縮性を有する合成樹脂発泡体からなり、非圧縮状態におけるバックアップ後方材の幅寸法が上記目地の幅寸法より大きいことを特徴とするものである。この場合、シーリングバックアップ材の挿入時には、バックアップ後方材を幅方向に押し縮めた状態で上記目地内に挿入すると、バックアップ後方材は目地の後方の空間内で圧縮前の寸法まで幅方向に復元、膨張する。
【０００８】
請求項３のシーリングバックアップ材は、請求項２の構成において、上記バックアップ後方材は、独立気泡の合成樹脂発泡体を圧縮して部分的に連続気泡化した半連続気泡の合成樹脂発泡体からなることを特徴とするものである。なお、バックアップ後方材は、具体的には、半連続気泡の発泡ポリエチレンで形成することができる。
【０００９】
【発明の実施の形態】
以下、本発明の実施の形態を図面に基づいて説明する。図１及び図２に示すように、住宅の軸組１０は、縦部材１１と横部材１２からなり、下端の横部材１２は基礎１３上にアンカーボルト１４及びナット１５で取り付けられている。また、軸組１０の上端の横部材１２は、Ｈ型鋼からなる梁１６の下側のフランジ１６ａにボルト１７及びナット１５で接続されている。
【００１０】
軸組１０は住宅の外周に沿って複数個並べて配置され、各軸組１０の屋外側には、軸組１０と略等しい左右幅を有する外壁パネル１８が配置されている。この外壁パネル１８の内面側の左右側端部には、外開きコ字形のフレーム２０が取り付けられ、外壁パネル１８の取付状態でフレーム２０が軸組１０の縦部材１１の屋外側に位置するようになっている。また、左右のフレーム２０間の外壁パネル１８の内面側には、壁断熱材２１が、予め一体的に取り付けられている。
【００１１】
図３にも示すように、隣接する外壁パネル１８のフレーム２０内に、上下方向の所定の間隔を隔てて複数の屋外側の連結金具２４が配置されている。
【００１２】
一方、軸組１０の屋内側には、図示しないが、内壁部材が配置され、この内壁部材の内側に、連結金具２４に対応する複数の屋内側の連結金具（不図示）が配置されている。そして、屋外側の連結金具２４と屋内側の連結金具とが、隣接する軸組１０の縦部材１１間を通過する連結軸２５で連結されている。
【００１３】
隣接する外壁パネル１８間の目地２６内には、シーリング材２７が目地２６の長手方向に沿って挿入されている。また、シーリング材２７の内側には、シーリングバックアップ材２８（以下、バックアップ材２８という）が配置されている。
【００１４】
このバックアップ材２８は、シーリング材２７の内側の目地２６内の最奥部に位置するバックアップ材本体３０と、バックアップ材本体３０の後方で上記外壁パネル１８のフレーム２０内に位置するバックアップ後方材３１とを一体的に接続してなる。
【００１５】
図２及び図３から明らかなように、バックアップ後方材３１は、前記連結金具２４の存在しない高さ位置では、その後端面、つまり、屋内側の端面がフレーム２０の後方側の内面に接触し、フレーム２０の厚み方向の全体、言い換えれば、外壁パネル１８と軸組１０間の空間の厚み方向の略全体を充填している。
【００１６】
一方、前記連結金具２４の存在する高さ位置では、バックアップ後方材３１は、連結金具２４や連結軸２５の輪郭に応じて押し縮められた状態となっているが、バックアップ材本体３０の前後位置は連結金具２４や連結軸２５の存在しない高さ位置と略同一である。
【００１７】
いずれにしても、外壁パネル１８の後方の空間をバックアップ後方材３１が満たすことにより、バックアップ材本体３０は必然的にシーリング材２７の内側の目地２６内の最奥部に位置するようになり、これに伴って、シーリング材２７の目地２６内への挿入深さが均一化されるようになっている。
【００１８】
ところで、外壁パネル１８の上端部付近では、外壁パネル１８の後方に軸組１０が存在せず、梁１６が存在するのみである。従って、図４に示すように、外壁パネル１８の上端部付近では、隣接する外壁パネル１８のフレーム２０間にバックアップ補助材３２を挿入し、フレーム２０の内面に当接したバックアップ補助材３２でバックアップ後方材３１の後端を支持するようにしている。なお、バックアップ補助材３２はその下端部が上記連結金具２４で支持されることにより、下方への落下を阻止されている。
【００１９】
図５にバックアップ材２８単品の自由状態での断面図を示す。バックアップ材本体３０及びバックアップ後方材３１はともに略断面矩形であるが、バックアップ後方材３１の厚み寸法Ｔ２及び幅寸法Ｂ２は、バックアップ材本体３０の厚み寸法Ｔ１及び幅寸法Ｂ１より大きくされている。
【００２０】
具体的には、Ｔ１は、例えば、２ｍｍ程度、Ｂ１は９ｍｍ程度、Ｔ２は１５ｍｍ程度、Ｂ２は２１ｍｍ程度であるが、これらの寸法に限定されない。なお、Ｂ１は、目地２６の幅寸法と同等又はそれより若干小さい程度とし、Ｔ２は外壁パネル１８の内面と軸組１０の縦部材１１の外面間の距離と同等以上とする必要がある。
【００２１】
なお、バックアップ材本体３０は、例えば、独立気泡のポリエチレン発泡体等の合成樹脂発泡体等で形成され、若干の可撓性は有するものの、伸縮性は乏しい部材である。発泡倍率は、例えば、５乃至９倍程度である。
【００２２】
一方、バックアップ後方材３１は、半連続気泡のポリエチレン発泡体等で形成され、可撓性及び伸縮性に富んだ部材である。この半連続気泡のポリエチレン発泡体とは、具体的には、架橋独立気泡ポリエチレン系発泡体をロール圧縮により部分的に破泡して、連続気泡化したものである。
【００２３】
バックアップ後方材３１の発泡倍率は１０乃至４０程度とすることができるが、連続気泡化後に好適な圧縮特性を得やすくするためには、発泡倍率を３０程度とすることが特に好適である。上記のような架橋独立気泡ポリエチレン系発泡体を部分的に連続気泡化したものは、既存の連続気泡のウレタン系発泡体のように柔軟過ぎることもなく、一方、独立気泡のポリエチレン系発泡体のように硬すぎることもなく、適度な柔軟性を備えている。
【００２４】
なお、架橋独立気泡ポリエチレン系発泡体を部分的に連続気泡化したものからなるバックアップ材２８は、目地２６への充填後に水密性や気密性が良好であり、また、シーリング材２７との接着性も良好なため、シーリング材２７の３面接着による界面破壊も防止されるとともに、耐水、耐熱、耐候性にも優れている。
【００２５】
次に、図６にバックアップ補助材３２単品の自由状態での断面図を示す。このバックアップ補助材３２は、合成樹脂などから左右対称の形状を有するように作成され、中央の略半円部３２ａの両側に、各々上記略半円部３２ａの湾曲方向とは逆向きに順次屈曲する各二つの屈曲部３２ｂ、３２ｃを設けられている。
【００２６】
以下、外壁パネル１８を軸組１０の外側に取り付け、かつ、連結金具２４及び連結軸２５を用いて外壁パネル１８と屋内側の内壁部材（図示せず）とを連結した後、バックアップ補助材３２、バックアップ材２８及びシーリング材２７を順次挿入する手順を説明する。
【００２７】
図７に示すように、まず、バックアップ補助材３２の両側の屈曲部３２ｂ、３２ｃが互いに接近するように折り曲げた状態でバックアップ補助材３２を隣接する外壁パネル１８の上端部付近の目地２６を介して両外壁パネル１８のフレーム２０間の空間に挿入する（図８参照）。
【００２８】
この時、前述のように、バックアップ補助材３２の下端部が連結金具２４に上方から当接し、バックアップ補助材３２の落下が防止される。なお、バックアップ補助材３２の上下幅Ｈは、梁１６の上下幅より若干大きい程度、例えば、２５０乃至３００ｍｍ程度とされる。
【００２９】
バックアップ補助材３２の挿入後、続いて、図８に示したように、バックアップ材２８におけるバックアップ後方材３１をバックアップ材本体３０と同じ程度の幅となるように幅方向へ押し縮めながら、目地２６を介して、隣接する外壁パネル１８のフレーム２０間の空間へ押し込む。その後、シーリング材２７をバックアップ材本体３０に当接する位置まで目地２６内に挿入すれば、図２乃至図４に示した状態となる。
【００３０】
以上では、１対の外壁パネル１８間の目地２６内におけるシーリング材２７及びバックアップ材２８について説明したが、図９に示すように、片側が外壁パネル１８で、他側が窓サッシ３３である場合も、これらの間の目地３４に上記と同様にバックアップ材３５及びシーリング材３６を順次挿入できる。
【００３１】
但し、この場合、窓サッシ３３側にはフレーム２０が存在しないので、バックアップ材３５におけるバックアップ材本体３７を左右非対称形状とし、バックアップ後方材３８の図中左端部まで延びるようにしている。なお、バックアップ材３５単体の断面図を図１０に示す。
【００３２】
【発明の効果】
以上説明したように、本発明の請求項１のシーリングバックアップ材は、左右側端部に外開きコ字形のフレームが取り付けられた隣接する外壁パネル間の目地に挿入されるシーリング材を後方で支持するシーリングバックアップ材であって、上記目地とその後方の軸組との間の隙間の厚み方向を充填するように該隙間に挿入され、合成樹脂からなり中央の略半円部の両側にこの略半円部の湾曲方向とは逆向きに順次屈曲する２つの屈曲部が設けられてなり上記隣接する外壁パネルのフレーム間の空間にフレームの内面に当接して配置されたバックアップ補助材によってその後端が支持されるバックアップ後方材と、このバックアップ後方材の前方に一体的に接続され、上記目地内の最奥部に位置して上記シーリング材を後方で支持するバックアップ材本体とからなるものであり、目地後方の隙間の厚み方向がバックアップ後方材で塞がれている結果、バックアップ材本体は、必然的に目地内の最奥部に位置することになる。そのため、シーリングバックアップ材の挿入後に目地に挿入されるバックアップ材の挿入深さを常に略一定とすることができるので、外壁パネル間の目地のシーリング性能及び見栄えを向上させることができる。
【００３３】
請求項２のシーリングバックアップ材は、請求項１の構成において、上記バックアップ後方材は伸縮性を有する合成樹脂発泡体からなり、非圧縮状態におけるバックアップ後方材の幅寸法が上記目地の幅寸法より大きいものであるから、本シーリングバックアップ材の目地への挿入後に、バックアップ後方材は目地の後方の空間内で目地の幅寸法より大きな幅寸法となるように復元し、目地の両側でバックアップ後方材の前面が外壁パネルの裏面に接触する。その結果、バックアップ後方材の前面位置が確実に外壁パネルの裏面位置と合致するため、バックアップ材本体は、一層確実に目地内の最奥部の一定深さに位置するようになり、シーリング材の挿入深さを一層均一化させることができる。
【００３４】
請求項３のシーリングバックアップ材は、請求項２の構成において、上記バックアップ後方材は、独立気泡の合成樹脂発泡体を圧縮して部分的に連続気泡化した半連続気泡の合成樹脂発泡体からなり、係る半連続気泡の合成樹脂発泡体は、伸縮性に富んでいるので、目地の後方の隙間内の外壁パネルの取付金具等の突起物がところどころに存在するような場合でも、バックアップ後方材が係る凹凸に対応して変形しながら上記隙間の厚み方向を確実に埋めることが可能となる。
【図面の簡単な説明】
【図１】本発明の実施の形態に係る住宅の外壁パネル周辺を示す概略側面図。
【図２】上記外壁パネルの目地周辺を示す概略水平断面図。
【図３】上記外壁パネルの目地周辺を高さ位置を変えて示す概略水平断面図。
【図４】上記外壁パネルの上端部近傍の目地周辺を示す概略水平断面図。
【図５】上記目地に挿入されるシーリングバックアップ材を示す概略水平断面図。
【図６】上記目地の上端部近傍に挿入されるバックアップ補助材を示す概略水平断面図。
【図７】上記目地にバックアップ補助材及びシーリングバックアップ材を順次挿入する様子を示す概略斜視図。
【図８】上記目地にバックアップ補助材を挿入し、更にシーリングバックアップ材を挿入する様子を示す概略水平断面図。
【図９】外壁パネルと窓サッシ間の目地におけるシーリングバックアップ材及びシーリング材を示す概略水平断面図。
【図１０】図９のシーリングバックアップ材単品を自由状態で示す概略水平断面図。
【図１１】従来のシーリング材及びシーリングバックアップ材を示す概略水平断面図。
【符号の説明】
１０  軸組
１８  外壁パネル
２６  目地
２７  シーリング材
２８  シーリングバックアップ材
３０  バックアップ材本体
３１  バックアップ後方材
【図１】
0003672246.tif 000002
【図２】
0003672246.tif 000003
【図３】
0003672246.tif 000004
【図４】
0003672246.tif 000005
【図５】
0003672246.tif 000006
【図６】
0003672246.tif 000007
【図７】
0003672246.tif 000008
【図８】
0003672246.tif 000009
【図９】
0003672246.tif 000010
【図１０】
0003672246.tif 000011
【図１１】
0003672246.tif 000012